(57)【特許請求の範囲】
【請求項１】
被験者の腹部に巻き付けられるベルトに配設され、前記被験者の体表面に接触する複数の電極と、
前記複数の電極の内の一対の電極間に予め定める電流を通過させる電流印加手段と、
前記電流印加手段によって電流が通過している間に、前記複数の電極の内の他の対の電極を用いて、その電極間の電圧を測定する第１の測定手段と、
前記第１の測定手段で測定された電圧から被験者のインピーダンスを求め、体脂肪量を算出する演算手段とを含み、
前記電流印加手段は、前記一対の電極間に相互に逆方向となる電流を順次通過させ、前記演算手段は、前記電流方向の切換えに対する前記第１の測定手段による複数回の測定結果の平均値から、前記インピーダンスを求めるものであり、
前記第１の測定手段による測定結果に基づき、前記電極が前記被験者の体表面に接触しているか否かを所定のアルゴリズムを用いて判定する判定手段を含み、前記電極の少なくとも一部に関して、該電極と被験者の体表面との接触抵抗のばらつきを抑制する手段をさらに備えることを特徴とする体脂肪測定装置。
【請求項２】
前記判定手段は、前記第１の測定手段による複数回の測定結果の平均値が予め定める第１の閾値より小さい場合には、前記他の対の電極の両方が浮いていると判定する第１の判定手段を備えることを特徴とする請求項１記載の体脂肪測定装置。
【請求項３】
前記判定手段は、前記第１の測定手段による複数回の測定結果の平均値が予め定める第２の閾値より大きい場合には、前記他の対の電極の一方が充分接触していないと判定する第２の判定手段を備えることを特徴とする請求項１または２記載の体脂肪測定装置。
【請求項４】
前記判定手段は、前記第１の測定手段による複数回の測定結果の一方が前記予め定める第１の閾値より小さく、かつ他方が前記予め定める第２の閾値よりも大きい場合に、電流供給側となった電極が体表面に充分接していないと判定する第３の判定手段を備えることを特徴とする請求項１〜３のいずれか１項に記載の体脂肪測定装置。
【請求項５】
前記判定手段は、前記第１の測定手段による複数回の測定結果の差が予め定める第３の閾値より大きい場合に、前記他の対の電極のバランスが悪いと判定する第４の判定手段を備えることを特徴とする請求項１〜４のいずれか１項に記載の体脂肪測定装置。
【請求項６】
前記判定手段は、前記第１の測定手段による複数回の測定結果の平均値の複数のサンプルの内、最大値と最小値との差が予め定める第４の閾値より大きい場合に、呼吸の乱れまたは体動等によるデータ乱れと判定する第５の判定手段を備えることを特徴とする請求項１〜５のいずれか１項に記載の体脂肪測定装置。
【請求項７】
前記ばらつきの抑制手段は、異常が判定されると、警報を発する警報発生手段をさらに備えることを特徴とする請求項２〜６のいずれか１項に記載の体脂肪測定装置。
【請求項８】
前記ばらつきの抑制手段は、前記電極に直列に接続される可変抵抗と、その抵抗値の調整手段とを備え、前記調整手段は、前記電極が前記体表面と充分接していないと判定されると、その電極の可変抵抗を調整することを特徴とする請求項２〜６のいずれか１項に記載の体脂肪測定装置。
【請求項９】
前記ばらつきの抑制手段は、前記電極に設けられるアクチュエータと、そのアクチュエータを駆動する駆動手段とを備え、前記駆動手段は、前記電極が前記体表面と充分接していないと判定されると、その電極のアクチュエータを駆動して、前記接触状態を調整することを特徴とする請求項２〜６のいずれか１項に記載の体脂肪測定装置。
【発明の詳細な説明】
【技術分野】
【０００１】
本発明は、体脂肪測定装置に関し、特に被験者の腹部にベルトを巻付けて測定を行うタイプのものに関する。
【背景技術】
【０００２】
前記被験者の腹部にベルトを巻付けて測定を行うタイプの体脂肪測定装置は、体重計などに内蔵のタイプの体脂肪測定装置に比べて、測定精度が高く、定期検診時などに使用される。その測定方法である腹部インピーダンス法を用いた内蔵脂肪測定装置を、本件出願人は先に特許文献１で提案している。その従来技術によれば、ベルトに前後一対（被験者の腹部中央（臍）および背部中央（背骨の位置））で電流印加電極を設けるとともに、体側部（脇腹）に前後にずれて一対の電圧測定電極を設け、前記電流印加電極から一定の電流を流して、その時の電圧測定電極間の電圧から腹部インピーダンスを算出し、その腹部インピーダンスから内臓脂肪量を測定している。さらにこの従来技術では、皮下脂肪厚を別途測定し、その測定した皮下脂肪厚で前記内臓脂肪量を補正することで、皮下脂肪厚の違いによる影響を除去して、前記内臓脂肪量を精度良く求められることを特徴としている。
【先行技術文献】
【特許文献】
【０００３】
【特許文献１】特開２００７−１５１６１９号公報
【発明の概要】
【発明が解決しようとする課題】
【０００４】
前記体重計に内蔵のタイプの体脂肪測定装置では、たとえば両脚間や手足の間の長距離に亘ってインピーダンスが測定されるので、その測定インピーダンスは、たとえば数百Ωにもなる。これに対して、上述のような腹部インピーダンスから体脂肪量を測定する装置では、体側部（脇腹）の僅かな距離を隔てて、その間のインピーダンスを測定することになり、インピーダンスは体重計の場合に比べて、数百分の１、測定電圧は数ｍＶにしかならない。したがって、前記腹部インピーダンス、したがって体脂肪量の測定精度が低いという問題がある。また、電極外れなどが生じると、一層精度が低下するという問題がある。
【０００５】
本発明の目的は、体脂肪量の測定精度を高めることができるとともに、電極外れなどを検知して、精度の高い測定を行うことができる体脂肪測定装置を提供することである。
【課題を解決するための手段】
【０００６】
本発明の体脂肪測定装置は、被験者の腹部に巻き付けられるベルトに配設され、前記被験者の体表面に接触する複数の電極と、前記複数の電極の内の一対の電極間に予め定める電流を通過させる電流印加手段と、前記電流印加手段によって電流が通過している間に、前記複数の電極の内の他の対の電極を用いて、その電極間の電圧を測定する第１の測定手段と、前記第１の測定手段で測定された電圧から被験者のインピーダンスを求め、体脂肪量を算出する演算手段とを含み、前記電流印加手段は、前記一対の電極間に相互に逆方向となる電流を順次通過させ、前記演算手段は、前記電流方向の切換えに対する前記第１の測定手段による複数回の測定結果の平均値から、前記インピーダンスを求めるものであり、前記第１の測定手段による測定結果に基づき、前記電極が前記被験者の体表面に接触しているか否かを所定のアルゴリズムを用いて判定する判定手段を含み、前記電極の少なくとも一部に関して、該電極と被験者の体表面との接触抵抗のばらつきを抑制する手段をさらに備えることを特徴とする。
【０００７】
上記の構成によれば、被験者の体表面に接触する複数の電極と、前記複数の電極の内、前記被験者の腹部中央（臍）および背部中央（背骨の位置）などの一対の電極間に予め定める電流（高周波のパルス電流）を通過させる電流印加手段と、前記電流印加手段による電流が通過している間に、前記複数の電極の内、前記被験者の体側部（脇腹）の前後などに設けられる他の対の電極を用いて、その電極間の電圧を測定する第１の測定手段と、前記第１の測定手段で測定された電圧から被験者のインピーダンスを求め、そのインピーダンスから、体脂肪量を算出する演算手段とを備えて構成される体脂肪測定装置において、前記電流印加手段が、臍側から背中側およびその反対の背中側から臍側などのように相互に逆方向となる電流を順次流して、前記第１の測定手段は、その複数回の電流通過時の電圧測定を行い、前記演算手段は、その複数回の測定結果の平均値から、前記腹部インピーダンスを求める一方、前記電極の少なくとも一部に関して、該電極と被験者の体表面との接触抵抗のばらつきを抑制する手段をさらに設ける。
【０００８】
したがって、前記インピーダンス、したがって体脂肪量の測定精度を高めることができるとともに、電極外れなどを検知して、精度の高い測定を行うことができる。
【０００９】
また、本発明の体脂肪測定装置では、前記判定手段は、前記第１の測定手段による複数回の測定結果の平均値が予め定める第１の閾値より小さい場合には、前記他の対の電極の両方が浮いていると判定する第１の判定手段を備えることを特徴とする。
【００１０】
上記の構成によれば、上述のように電流印加手段が電流を流す方向を切換え、これに対応して第１の測定手段が複数回の電圧測定を行い、その複数回の測定結果の平均値から、前記ばらつきの抑制手段が備える第１の判定手段は、前記他の対の電極、すなわち電圧検出用電極と体表面との間の接触抵抗の状態を推定する。そして、平均値が異常に小さいと、前記電圧検出用電極の両方が浮いていると判定する。
【００１１】
したがって、電圧検出電極が外れかかっている等、それに応じた対応をすることが可能になる。
【００１２】
さらにまた、本発明の体脂肪測定装置では、前記判定手段は、前記第１の測定手段による複数回の測定結果の平均値が予め定める第２の閾値より大きい場合には、前記他の対の電極の一方が充分接触していないと判定する第２の判定手段を備えることを特徴とする。
【００１３】
上記の構成によれば、上述のように複数回の測定結果の平均値が異常に小さいと、前記電圧検出用電極の両方が浮いていると判定できるのに対して、第２の判定手段は、異常に大きい場合には、前記電圧検出用電極の一方が充分接触していないか、または断線しているか肌が乾燥していると判定する。
【００１４】
また、本発明の体脂肪測定装置では、前記判定手段は、前記第１の測定手段による複数回の測定結果の一方が前記予め定める第１の閾値より小さく、かつ他方が前記予め定める第２の閾値よりも大きい場合に、電流供給側となった電極が体表面に充分接していないと判定する第３の判定手段を備えることを特徴とする。
【００１５】
上記の構成によれば、上述のように複数回の測定を行い、その複数回の測定結果がばらついて、一方が前記予め定める第１の閾値より小さく、かつ他方が前記予め定める第２の閾値よりも大きくなると、第３の判定手段は、電流供給側となった電極が体表面に充分接していないと判定する。
【００１６】
さらにまた、本発明の体脂肪測定装置では、前記判定手段は、前記第１の測定手段による複数回の測定結果の差が予め定める第３の閾値より大きい場合に、前記他の対の電極のバランスが悪いと判定する第４の判定手段を備えることを特徴とする。
【００１７】
上記の構成によれば、上述のように複数回の測定を行い、その複数回の測定結果がばらついて、それらの差が、予め定める第３の閾値よりも大きかった場合に、第４の判定手段は、前記他の対の電極、すなわち電圧検出電極の体表面との接し方のバランスが悪い、たとえば片方が外れていると判定する。
【００１８】
また、本発明の体脂肪測定装置では、前記判定手段は、前記第１の測定手段による複数回の測定結果の平均値の複数のサンプルの内、最大値と最小値との差が予め定める第４の閾値より大きい場合に、呼吸の乱れまたは体動等によるデータ乱れと判定する第５の判定手段を備えることを特徴とする。 
【００１９】
上記の構成によれば、複数回サンプリングを行って、微小なインピーダンスの測定精度を上げるにあたって、最大値と最小値との差が異常に離れている場合には、第５の判定手段は、呼吸の乱れまたは体動等によるデータ乱れと判定する。
【００２０】
さらにまた、本発明の体脂肪測定装置では、前記ばらつきの抑制手段は、異常が判定されると、警報を発する警報発生手段をさらに備えることを特徴とする。
【００２１】
上記の構成によれば、前記ばらつきの抑制手段では、前記第１〜第５の判定手段で電極の体表面との接触状態に異常があると判定した場合に、警報発生手段が警報を発する。
【００２２】
したがって、その異常を被験者や検査担当者に報知することができ、電極を着け直させるなどして、確実に正確な測定を行うことができる。
【００２３】
また、本発明の体脂肪測定装置では、前記ばらつきの抑制手段は、前記電極に直列に接続される可変抵抗と、その抵抗値の調整手段とを備え、前記調整手段は、前記電極が前記体表面と充分接していないと判定されると、その電極の可変抵抗を調整することを特徴とする。
【００２４】
上記の構成によれば、前記ばらつきの抑制手段では、前記第１〜第５の判定手段で電極の体表面との接触状態に異常があると判定した場合に、調整手段が、その異常があると判定された電極に直列に接続されている可変抵抗の抵抗値を調整する。
【００２５】
したがって、接触抵抗に問題があった場合に、可変抵抗を調節することで、その接触抵抗を補正し、ばらつきを抑えることができる。これによって、被験者が電極を装着し直すことなく、正確な測定を行うことができる。
【００２６】
さらにまた、本発明の体脂肪測定装置では、前記ばらつきの抑制手段は、前記電極に設けられるアクチュエータと、そのアクチュエータを駆動する駆動手段とを備え、前記駆動手段は、前記電極が前記体表面と充分接していないと判定されると、その電極のアクチュエータを駆動して、前記接触状態を調整することを特徴とする。
【００２７】
上記の構成によれば、前記ばらつきの抑制手段では、前記第１〜第５の判定手段で電極の体表面との接触状態に異常があると判定した場合に、駆動手段が、その異常があると判定された電極に設けられているアクチュエータを駆動して、たとえば電極を押し引きして、前記接触抵抗を調整する。
【００２８】
したがって、接触抵抗に問題があった場合に、アクチュエータを駆動することで、電極の体表面との接触の仕方を調整し、ばらつきを抑えることができる。
【発明の効果】
【００２９】
本発明の体脂肪測定装置は、以上のように、被験者の体表面に複数の電極を接触させ、それらの電極の内、被験者の腹部中央（臍）および背部中央（背骨の位置）などの一対の電極間に電流印加手段によって予め定める電流を流し、第１の測定手段でそのときの体側部（脇腹）の前後などに発生した電圧を測定し、演算手段が、その測定結果からインピーダンスを求め、そのインピーダンスから体脂肪量を算出するようにした体脂肪測定装置において、前記電流印加手段が、臍側から背中側およびその反対の背中側から臍側などのように相互に逆方向となる電流を順次流して、前記第１の測定手段は、その複数回の電流通過時の電圧測定を行い、前記演算手段は、その複数回の測定結果の平均値から、前記腹部インピーダンスを求める一方、前記電極の少なくとも一部に関して、該電極と被験者の体表面との接触抵抗のばらつきを抑制する手段をさらに設ける。
【００３０】
それゆえ、前記インピーダンス、したがって体脂肪量の測定精度を高めることができるとともに、電極外れなどを検知して、精度の高い測定を行うことができる。
【図面の簡単な説明】
【００３１】
【図１】本発明の実施の一形態に係るベルト式の体脂肪測定装置の斜視図である。
【図２】前記体脂肪測定装置の使用状態を示す斜視図である。
【図３】腹部インピーダンス法による体脂肪の測定原理を説明するための図である。
【図４】腹囲の測定方法を説明するための図である。
【図５】図４を拡大して示す図である。
【図６】前記体脂肪測定装置の電気的構成を示すブロック図である。
【図７】前記体脂肪測定装置におけるリード線の引回しを模式的に示す図である。
【図８】電極の接触不良の判定方法を説明するための波形図である（正常時）。
【図９】電極の接触不良の判定方法を説明するための波形図である（エラーモード１）。
【図１０】電極の接触不良の判定方法を説明するための波形図である（エラーモード２）。
【図１１】電極の接触不良の判定方法を説明するための波形図である（エラーモード３−１）。
【図１２】電極の接触不良の判定方法を説明するための波形図である（エラーモード３−２）。
【図１３】電極の接触不良の判定方法を説明するための波形図である（エラーモード４）。
【図１４】本発明の実施の他の形態に係るベルト式の体脂肪測定装置の電気的構成を示すブロック図である。
【発明を実施するための形態】
【００３２】
（実施の形態１）
図１は本発明の実施の一形態に係るベルト式の体脂肪測定装置１の斜視図であり、図２は、その使用状態を示す斜視図である。この体脂肪測定装置１は、大略的に、被験者２の腹部２ａに巻付けられるベルト３と、前記ベルト３に配設され、前記被験者２の腹部２ａの体表面２ｂに接触する複数の電極１１〜１４と、前記ベルト３に取付けられる腹囲計４と、集線器５と、前記ベルト３から離間して配設される本体６とを備えて構成される。この体脂肪測定装置１は、健康診断などの際に用いられ、被験者２の体脂肪量を腹部インピーダンス法を用いて測定するもので、共通の本体６に対して、ウエストサイズに応じて、たとえばＳ，Ｍ，Ｌの３種類のベルト３およびそれに取付けられる器具（腹囲計４、集線器５等）を備えて構成される。
【００３３】
図３は、前記腹部インピーダンス法による体脂肪の測定原理を説明するための図である。簡単に示すと、人（被験者２）の腹部２ａの軸直角断面は、この図３のように示すことができる。すなわち、皮下脂肪２Ａの中に筋肉組織２Ｂがあり、その中に内臓脂肪２Ｃが溜め込まれる。ここで、被験者２の腹部中央（臍）２ｃおよび背部中央（背骨の位置）２ｄに一対の電流印加電極１１，１２を設け、それらの間に予め定める電流を通過させると、その電流通過によって、腹部２ａには、ほぼ前後対称に、図３において破線で示すように、等電位曲線が現れる。このとき、被験者２の体側部（脇腹）２ｅの前後には、前記内臓脂肪２Ｃの部分の電位差が現れ、電圧検出電極１３，１４で検出することができる。
【００３４】
そして、概略的には、検出電圧Ｖに、腹部２ａの全断面積を乗算すると、内臓脂肪面積に比例することが知られている。実際には、流した定電流をＩ、検出電圧をＶとすると、内臓脂肪２Ｃの抵抗（インピーダンス）Ｒは、Ｒ＝Ｖ／Ｉから求めることができる。この内臓脂肪２Ｃの抵抗（インピーダンス）Ｒに、好ましくは、性別、体重、腹囲などの他のパラメータと合わせて、予め作成されているテーブルを読出し、適宜補間演算などを行うことで、体脂肪量を算出するようになっている。
【００３５】
図１および図２に戻って、このため、前記ベルト３は、その基端側のバックル３１と、それに連なるスリット部分３２と、それに連なる帯状部３３とを備えて構成される。前記バックル３１の前面には面ファスナー（例えばフック部）３１ａが取付けられており、帯状部３３の遊端部３３ａの裏面には相手となる面ファスナー（例えばループ部）３３ｂが取付けられており、それらを強く圧迫することで、任意の周長の被験者２の腹部２ａに、該ベルト３を密着して巻付けることができる。ここで、面ファスナー３１ａ，３３ｂとは、前記フック部とループ部とが対を成しており、両者を強く圧迫するとフック部がループ部に絡み付いて相互に外れにくくなり、強く引き剥がすと、前記絡みが外れて引き剥がすことができるものを言い、メカニカルファスナーとも呼ばれている。
【００３６】
そして、図２のように、バックル３１を被験者２の体表面２ｂにおける腹部中央（臍）２ｃの位置に宛い、ベルト３を時計回りに巻付けながら、遊端部３３ａの面ファスナー（ループ部）３３ｂをバックル３１の面ファスナー（フック部）３１ａに貼り付ける。こうして、図２および図４のように、ベルト３を被験者２の腹部２ａに固定することができる。またこれによって、前記バックル３１の裏面に設けられている第１の電流印加電極１１は、被験者２の体表面２ｂにおける腹部中央（臍）２ｃの位置に接触する。
【００３７】
前記バックル３１には、スリット部分３２が連なり、その開口３２ａ内で、前記被験者２の体側部（脇腹）２ｅに対応する部分には、電極シート３５が貼付けられる。この電極シート３５は、粘着剤が塗布された可撓性のプラスチック板に、ゲル電極から成る前記電圧検出電極１３，１４が取付けられて構成される。したがって、この電圧検出電極１３，１４がベルト３側に固定でないことから、被験者２の腹囲の違いに対しても、正確に体側部２ｅに該電圧検出電極１３，１４を設けることができるとともに、そのようにベルト３で被験者２に押付けないようにしても、一定の粘着力で該電圧検出電極１３，１４は被験者２に貼付き、安定した検出を行うことができる。
【００３８】
前記スリット部分３２に連なる帯状部３３において、その基端３３ｃ側には、前記腹囲計４が嵌め込まれている。この腹囲計４の裏面には、前記第１の電流印加電極１１に対向する第２の電流印加電極１２が設けられており、上述のようにベルト３を巻付けた後に、図４で示すように、この腹囲計４が背部中央の位置にスライド変位されて位置合せが行われる。これによって、被験者２の腹部中央（臍）２ｃの位置と、背部中央（背骨の位置）２ｄとで対向して、第１および第２の電流印加電極１１，１２を設けることができる。
【００３９】
また、前記帯状部３３において、その基端３３ｃ側には、磁気ストライプやスリットなどによって、前記腹囲の指標が埋込まれており、それをこの腹囲計４に内蔵の計測部１６が読取ることで、腹囲が計測される。具体的には、上述のように背部中央（背骨の位置）２ｄの位置に第２の電流印加電極１２の位置合せが行われると、前記スリット部分３２を経て、バックル３１に埋込まれている第１の電流印加電極１１からこの第２の電流印加電極１２までの長さが定まり、それを前記計測部１６が読取り、２倍することで腹囲を求めることができる。
【００４０】
さらに図１や図４で示すように、使用者（検査技師など）が直接測定を行えるよう、前記帯状部３３には、腹囲の指標３３ｄが、その帯状部３３が通る腹囲計４の開口４ａ部分には、指針４ｂが設けられている。これに対応して、図５で拡大して示すように、前記スリット部分３２にも、腹囲の指標３２ｂが形成されている。この指標３２ｂの中で、前記腹囲計４の指針４ｂで読取られた値の位置に、前記電極シート３５に付された指標３５ａを合わせて該電極シート３５を貼付けることで、前記電圧検出電極１３，１４を被験者２の体側部（脇腹）２ｅの所定の位置、すなわち前記電極１３，１４間の中心が、第１の電流印加電極１１から第２の電流印加電極１２までの長さの１／２の位置となるように、簡単に位置合せを行えるようになっている。
【００４１】
一方、前記スリット部分３２には、集線器５が、吊り紐５ａによって吊り下げられている。この集線器５には、第１の電流印加電極１１、ならびに２つの電圧検出電極１３，１４からの単芯のリード線２１，２２，２３および腹囲計４からの５芯のリード線２４，２５，２６，２７，２８がコネクタなどで接続され、それらを同一の絶縁被覆のケーブル２９に集約して前記本体６に接続する。こうして、リード線２１〜２８を単一のケーブル２９に統合することで、使い勝手が良くなり、またコストを削減することができるようになっている。
【００４２】
図６は、体脂肪測定装置１の電気的構成を示すブロック図である。本体６は、メインボード６１と、動作制御用のボード６２と、前記Ｓ，Ｍ，Ｌの３種類のベルト選択用のボード６３と、表示パネル６４と、ＵＳＢインタフェイスボード６５とを備えて構成される。前記ＵＳＢインタフェイスボード６５を介して、前記メインボード６１は外部のパーソナルコンピュータ７などと接続され、該パーソナルコンピュータ７での測定結果の集計・記録や、パーソナルコンピュータ７から該メインボード６１側の詳細設定などが可能となっている。
【００４３】
前記動作制御用のボード６２には、電源キー６２１、内臓脂肪測定キー６２２、腹囲測定キー６２３、および男女の選択キー６２４，６２５が設けられるとともに、各キー６２１〜６２５の操作にそれぞれ応答して点灯するインジケータ（ＬＥＤ）６２６〜６３０が設けられている。同様に、ベルト選択用のボード６３には、測定に使用されるのは前記Ｓ，Ｍ，Ｌの３種類の各ベルトの何れであるのかを選択するためのキー６３１〜６３３が設けられるとともに、その操作にそれぞれ応答して点灯するインジケータ（ＬＥＤ）６３４〜６３６が設けられる。前記表示パネル６４は、液晶表示装置などから成る。
【００４４】
前記メインボード６１は、制御マイコン６１１と、電流印加ブロック６１２と、電圧測定ブロック６１３と、ベルト通信ブロック６１４と、メモリ６１５と、ブザー６１６と、可変抵抗ＲＳ１，ＲＳ２；ＲＭ１，ＲＭ２；ＲＬ１，ＲＬ２と、ダミーの内部抵抗Ｒ０と、コネクタ６１Ｓ，６１Ｍ，６１Ｌとを備えて構成される。
【００４５】
前記コネクタ６１Ｓ，６１Ｍ，６１Ｌは、前記Ｓ，Ｍ，Ｌの３種類のベルト３にそれぞれ対応して設けられるものであり、各ベルト３の集線器５からのケーブル２９の端部に設けられるコネクタ３０が、それぞれ嵌着される。前記コネクタ６１Ｓ，６１Ｍ，６１Ｌとコネクタ３０との間は、構造的に、対応するもの同士でしか嵌らないように形成されていてもよい。ここで、前記健康診断などでは、多くの被験者の診断を行うので、３つのサイズのベルト３のコネクタ３０を、それぞれ対応するコネクタ６１Ｓ，６１Ｍ，６１Ｌに嵌着したままとし、キー６３１〜６３３で選択可能とすることで、診断効率をアップすることができる。
【００４６】
前記コネクタ６１Ｓ，６１Ｍ，６１Ｌおよびコネクタ３０は、前記集線器５からのケーブル２９に対応して、少なくとも８ピン構成であり、先ず電流印加電極１１，１２への前記リード線２１，２４のラインの何れかに、可変抵抗ＲＳ１，ＲＭ１，ＲＬ１が設けられ、同様に、電圧検出電極１３，１４からの前記リード線２２，２３のラインの何れかに、可変抵抗ＲＳ２，ＲＭ２，ＲＬ２が設けられている。
【００４７】
一方、電流印加手段である電流印加ブロック６１２は、周波数発生回路６１２１と、定電流回路６１２２と、マルチプレクサ６１２３，６１２４とを備えて構成される。前記制御マイコン６１１は、内臓脂肪測定動作を開始すると、周波数発生回路６１２１を起動させ、たとえば１００ｋＨｚのパルス波を発生させる。そのパルス波に応答して、定電流回路６１２２は、対応した交流の定電流、たとえば１ｍＡのパルスを発生する。この定電流パルスは、マルチプレクサ６１２３で電流方向（電極１１から１２または１２から１１の切換え）が正方向または逆方向に選択され、さらにマルチプレクサ６１２４によって、前記Ｓ，Ｍ，Ｌの何れかのベルトへ向けて出力され、可変抵抗ＲＳ１，ＲＭ１，ＲＬ１からコネクタ６１Ｓ，６１Ｍ，６１Ｌおよびコネクタ３０ならびにリード線２１，２４を介して、そのベルトの第１および第２の電流印加電極１１，１２間に与えられる。
【００４８】
また、第１の測定手段である電圧測定ブロック６１３は、マルチプレクサ６１３１と、差動増幅回路６１３２と、半波整流回路６１３３と、増幅回路６１３４と、アナログ／デジタル変換器６１３５とを備えて構成される。前記ベルト３の電圧検出電極１３，１４間で検出された電圧は、前記リード線２２，２３ならびにコネクタ３０およびコネクタ６１Ｓ，６１Ｍ，６１Ｌから可変抵抗ＲＳ２，ＲＭ２，ＲＬ２を介してマルチプレクサ６１３１に入力され、測定対象のベルトの電圧出力が選択される。その選択された検出電圧は、差動増幅回路６１３２で増幅され、半波整流回路６１３３で波形整形された後、増幅回路６１３４で増幅されて、アナログ／デジタル変換器６１３５でデジタルデータに変換されて前記制御マイコン６１１に取込まれ、体脂肪量の演算が可能になる。
【００４９】
さらにまた、前記ベルト通信ブロック６１４は、マルチプレクサ６１４１と、スイッチ６１４２とを備えて構成され、前記マルチプレクサ６１４１の切換え動作によって、前記コネクタ６１Ｓ，６１Ｍ，６１Ｌおよびコネクタ３０ならびに前記リード線２５〜２８を介して、前記制御マイコン６１１と計測部１６の制御マイコン１６１とを通信可能とする。前記リード線２５〜２８の内、２本は制御マイコン６１１，１６１間の信号線となり、１本は電源線、残りの１本はＧＮＤ線となる。そして、前記スイッチ６１４２は、切離し手段として機能し、前記各リード線２５〜２８に対応した電源線および信号線に直列に挿入されるトランジスタから成り、前記制御マイコン６１１によってＯＮ／ＯＦＦ制御される。
【００５０】
上述のような電流印加ブロック６１２、電圧測定ブロック６１３およびベルト通信ブロック６１４と、各リード線２１〜２８との関係を、図７で模式的に示す。なお、この図７では、図面の簡略化のために、マルチプレクサ６１２３，６１２４，６１３１，６１４１、可変抵抗ＲＳ１，ＲＳ２；ＲＭ１，ＲＭ２；ＲＬ１，ＲＬ２などは省略している。
【００５１】
前記スイッチ６１４２は、半導体素子などの電気的スイッチに限らず、リレーなどの機械的スイッチであってもよい。電気的スイッチの場合は、被験者が意識することなく、リード線２５〜２８の遮断を自動で行うことができる。また、機械的スイッチの場合は、低コストでリード線２５〜２８の遮断を行うことができる。
【００５２】
前記計測部１６は、前記本体６側からの電源供給によって、前述のような磁気ストライプやスリットの読取りなどで腹囲測定を行うセンサ１６２と、その動作を制御する前記制御マイコン１６１と、その演算処理用のメモリ１６３とを備えて構成される。そして、制御マイコン１６１は、制御マイコン６１１と、シリアルで通信を行う。
【００５３】
上述のように構成される体脂肪測定装置１において、前記動作制御用のボード６２から、電源キー６２１の操作で電源が投入され、男女の選択キー６２４，６２５の操作で男女選択が行われ、内臓脂肪測定キー６２２が操作されると、演算手段である前記制御マイコン６１１は、対応するインジケータ（ＬＥＤ）６２６；６２９，６３０；６２７を点灯させるとともに、不揮発性のＥＥＰＲＯＭなどから成るメモリ６１５に記憶されているアルゴリズムに従って、マルチプレクサ６１２４，６１３１を、前記キー６３１〜６３３で選択されたベルトに対応したコネクタ６１Ｓ，６１Ｍ，６１Ｌに切換え、上述のようにして電流印加ブロック６１２および電圧測定ブロック６１３を駆動し、腹部インピーダンスの測定を行う。
【００５４】
その測定は、測定期間を、呼吸を止めて測定可能な期間、たとえば６秒とし、測定周期を５００ｍｓｅｃとして、１２回分設定される。その内、最初の２回は、スパイクノイズ等を静定するための待機期間とし、残りの１０回で実際の測定を行う。そして、１回の測定で、制御マイコン６１１は、マルチプレクサ６１２３を駆動して、電流印加方向を切換えて２回の測定を順次行い、その平均値を測定値とする。こうして得られた１０個の平均値データの内、最大値および最小値の２つずつが除外され、残りの６個のデータの平均値が実際の測定値とされる。
【００５５】
一方、内臓脂肪測定キー６２２の操作の際、腹囲測定キー６２３が操作されていると、制御マイコン６１１は、上述のような腹部インピーダンスの測定の後、マルチプレクサ６１４１を、選択されているベルトに対応したコネクタ６１Ｓ，６１Ｍ，６１Ｌに切換え、計測部１６の制御マイコン１６１と通信を行い、腹囲の測定結果を得る。
【００５６】
こうして測定動作が終了すると、制御マイコン６１１は、マルチプレクサ６１２４，６１３１をダミーの内部抵抗Ｒ０側に切換え、基準となるその抵抗値（たとえば１Ω）を測定する。その測定は、たとえば１秒以内で行われ、前記のように５００ｍｓｅｃ間隔で２回行われた測定値は、最初の１回が前記スパイクノイズ等の除去のために破棄され、２回目のデータが内部抵抗値として使用される。こうして測定されたインピーダンス値は、前記メモリ６１５に記憶されている出荷時の測定値と比較され、その差が補正値に設定される。
【００５７】
そして、制御マイコン６１１は、上述のようにして実測された腹部インピーダンス（抵抗値）の平均値に、上述のようにして求められた補正値を加減算することで、温度による測定値の変動を補償した腹部インピーダンス（抵抗値）を求める。その後、この腹部インピーダンス（抵抗値）に、前記制御マイコン６１１は、前記男女の選択キー６２４，６２５の選択や、パーソナルコンピュータ７から前記身長や体重のデータが入力されているときにはそれらのデータも用いて、メモリ６１５に格納されているテーブルを参照し、体脂肪量を算出する。さらに、上述のようにして腹囲が測定された場合には、その測定値で体脂肪量が補正される。こうして得られた算出結果は、表示パネル６４に表示されるとともに、パーソナルコンピュータ７に送信される。このような測定の間は、後に詳述するようなエラー判定動作も行われ、エラーが判定されなかった場合に、上記測定値は有効となる。
【００５８】
注目すべきは、この体脂肪測定装置１では、前記制御マイコン６１１は、前記電流印加ブロック６１２および電圧測定ブロック６１３を使用しての上述のような腹部インピーダンスの測定時には、前記スイッチ６１４２をＯＦＦし、これによって腹囲測定を行う測定部１６のためのリード線２５〜２８を、本体６側から切離すことである。なお、サイズ外のコネクタ３０が装着されない場合には、マルチプレクサ６１４１をその測定対象のベルト以外のコネクタ側に切換えることで、前記切離し手段としての機能を実現し、前記スイッチ６１４２を省略するようにしてもよい。
【００５９】
このように構成することで、被験者の腹部インピーダンスに、好ましくは、性別、体重、腹囲などの他のパラメータも考慮して、体脂肪量を算出するようにしたベルト式の体脂肪測定装置１において、ベルト３に、前記腹部インピーダンスとは異なるパラメータで、前記体脂肪量の算出を支援可能な他のパラメータ、上記では腹囲を測定することができるようになる。そして、その腹囲の測定を行う第２の測定手段としての計測部１６を設けるにあたって、使い勝手やコストなどのために、電流印加ブロック６１２および第１の測定手段である電圧検出ブロック６１３と、対応する一対の電極１１，１２；１３，１４とをそれぞれ接続する第１の芯線であるリード線２１，２４；２２，２３と、前記計測部１６の制御マイコン１６１と、その測定結果が入力される制御マイコン６１１とを接続する第２の芯線であるリード線２５〜２８とが、同じ絶縁被覆内に配設される（一体に形成される）ケーブル２９を用いても、前記リード線２５〜２８と制御マイコン６１１との間にスイッチ６１４２を設け、腹部インピーダンスの測定時には、そのスイッチ６１４２によって、リード線２５〜２８の線間容量を切離している。
【００６０】
したがって、同じベルト３に、前記腹部インピーダンスとは異なり、前記体脂肪量の算出を支援可能な他のパラメータを測定することができる他の測定手段を設けても、前記腹部インピーダンスの測定、すなわち微小な電圧の測定精度の低下を抑えることができる。
【００６１】
一方、第２の測定手段としての計測部１６による腹囲の測定は、ベルト３側で完結して、すなわちリード線２５〜２８を介して本体６側が関与することなく行うことができる。しかしながら、この第２の測定手段による測定時に、前記の腹部インピーダンスを測定するための電流印加ブロック６１２および電圧測定ブロック６１３と、対応する電極１１，１２；１３，１４とを接続する前記リード線２１，２４；２２，２３の線間容量が影響を与える場合には、同様に、これらの電流印加ブロック６１２および電圧測定ブロック６１３と電極１１，１２；１３，１４との間を遮断する切離し手段を設ければよい。
【００６２】
また、前記第２の測定手段として、計測部１６が、前記腹部インピーダンスとは異なるパラメータとして、前記ベルト３において、被験者の体表面２ｂに接触している長さである腹囲を測定することで、正確な体脂肪量の算出に非常に重要な腹囲を、ベルト３を装着するだけで、容易に測定することができる。
【００６３】
さらにまた、２つの対の電極１１，１２；１３，１４の内、前記電流印加を行う一対の電極１１，１２が、被験者２の腹部中央（臍）２ｃおよび背部中央（背骨の位置）２ｄに設けられ、ベルト３によって被験者２の体表面２ｂに押付けられる金属電極から成る一方、微弱な電圧を検出する他の対の電極１３，１４を、前記ベルト３に形成された開口部３２ａから被験者２の体側部（脇腹）２ｅの前後に貼付けられるゲル電極とすることで、他の対の電極１３，１４の位置の微調整を容易に行うことができるとともに、押圧力の差によるむらを無くし、測定条件を毎回一定に保持することができる。
【００６４】
また、前記電流印加ブロック６１２において、マルチプレクサ６１３によって電流の流れる方向を切換え、前記一対の電極１１，１２間で、臍側から背中側およびその反対の背中側から臍側に電流を流し、前記制御マイコン６１１が、前記電圧検出ブロック６１３によるその２回の測定結果の平均値から前記腹部インピーダンスを求めることで、前記腹部インピーダンス、したがって体脂肪量の測定精度を高めることができる。
【００６５】
また、前記制御マイコン６１１は、前述のような腹部インピーダンスの測定の際に、その測定結果から、電極１１〜１４と被験者２の体表面２ｂとの接触抵抗のばらつき、すなわち電極１１〜１４が被験者２の体表面２ｂに上手く接触しているか否かを判定する判定手段としての複数のアルゴリズムを備えている（メモリ６１５内に記憶されている制御プログラムに格納されている）。そして、ばらつきの抑制手段としてのメインボード６１には、警報発生手段としてブザー６１６が実装されており、前記制御マイコン６１１は、異常を判定すると、前記ブザー６１６を鳴動させるとともに、表示パネル６４にエラーモード（異常がどういう状況であるのか）を表示する。また、パーソナルコンピュータ７にもエラーモードを表示するようにしてもよい。以下に、複数の各エラーモードを詳述する。
【００６６】
先ず、第１の判定手段（エラーモード１）として、前記制御マイコン６１１は、電流印加ブロック６１２による正逆両方向の電流印加に対する電圧測定ブロック６１３による２回の測定結果Ｚ１，Ｚ２の平均値Ｚから、電圧検出用電極１３，１４と体表面２ｂとの間の接触抵抗の状態を推定する。そして、平均値Ｚが予め定める第１の閾値ＴＨ１よりかなり小さい場合には、前記電圧検出用電極１３，１４の両方が浮いていると判定する。前記閾値ＴＨ１は、たとえば、検出電圧の場合には２．７Ｖであり、腹部インピーダンスの場合には０．４Ωである。そして、前記正逆両方向の電流印加で１回とすると、前述のように１０回の計測を行う間に、１回でも前記条件が満足されれば、異常と判定する。これによって、電圧検出電極１３，１４が外れかかっている等、それに応じた対応をすることが可能になる。この両電圧検出電極１３，１４に浮きが生じている際の前記検出電圧の波形を図９で示し、何れの電極１１〜１４も正常に取付けられている際の前記検出電圧の波形を図８で示す。図９から明らかなように、両電圧検出電極１３，１４に浮きが生じている場合、２回の測定結果Ｚ１，Ｚ２は、ノイズフロアのように現れる。
【００６７】
次に、第２の判定手段（エラーモード２）として、前記制御マイコン６１１は、前記２回の測定結果Ｚ１，Ｚ２の平均値Ｚから、該平均値Ｚが予め定める第２の閾値ＴＨ２よりかなり大きい場合には、前記電圧検出用電極１３，１４の一方が充分接触していないか、または断線しているか肌が乾燥していると判定する。前記閾値ＴＨ２は、たとえば、検出電圧の場合には４．５Ｖであり、腹部インピーダンスの場合には４．３Ωである。そして、１０回の計測を行う間に、１回でも前記条件が満足されれば、異常と判定する。これによって、電圧検出電極１３，１４の片方外れも判定することができる。この電圧検出用電極１３，１４の一方が充分接触していない状態での前記検出電圧の波形を図１０で示す。図１０から明らかなように、電圧検出用電極１３，１４の一方が充分接触していない場合、２回の測定結果Ｚ１，Ｚ２が共に極端に大きくなる。
【００６８】
さらにまた、第３の判定手段（エラーモード３）として、前記制御マイコン６１１は、前記２回の測定結果Ｚ１，Ｚ２の一方が第１の閾値ＴＨ１’より小さく、かつ他方が第２の閾値ＴＨ２’よりも大きい場合に、電流供給側となった電極が体表面２ｂに充分接していないと判定する。詳しくは、前述のように腹部中央（臍）２ｃに第１の電流印加電極１１を、背部中央（背骨の位置）２ｄに第２の電流印加１２を接触させた状態で、制御マイコン６１１は、マルチプレクサ６１２３に、２回の測定の内、先に腹部中央（臍）２ｃ側の第１の電流印加電極１１をハイレベルとする定電流パルスを与えて、前記測定結果Ｚ１を得る。その後、背部中央（背骨の位置）２ｄ側の第２の電流印加電極１２をハイレベルとする定電流パルスを与えて、前記測定結果Ｚ２を得る。そして、前記制御マイコン６１１は、Ｚ１＜ＴＨ１’かつＺ２＞ＴＨ２’である場合には、腹部中央（臍）２ｃ側の第１の電流印加電極１１が充分に接触していないと判定し（エラーモード３−１）、Ｚ１＞ＴＨ２’かつＺ２＜ＴＨ１’である場合には、背部中央（背骨の位置）２ｄ側の第２の電流印加電極１２が充分に接触していないと判定する（エラーモード３−２）。前記閾値ＴＨ１’，ＴＨ２’は、たとえば、検出電圧の差の場合には３．０Ｖおよび前記４．５Ｖであり、インピーダンスの場合には１．１Ωおよび前記４．３Ωである。そして、１０回の計測を行う間に、１回でも前記条件が満足されれば、異常と判定する。これによって、電流印加電極１１，１２の外れも判定することができる。この際の前記検出電圧の波形を図１１（エラーモード３−１）および図１２（エラーモード３−２）で示す。これらの図１１および図１２から明らかなように、電流印加電極１１，１２が充分に接触していないと、２回の測定結果Ｚ１，Ｚ２に極端な差が現れる。
【００６９】
また、第４の判定手段（エラーモード４）として、前記制御マイコン６１１は、前記２回の測定結果Ｚ１，Ｚ２の差｜Ｚ１−Ｚ２｜から、電圧検出電極１３，１４の接触バランスを判定する。詳しくは、前記差｜Ｚ１−Ｚ２｜が、予め定める第３の閾値ＴＨ３より大きい場合には、前記電圧検出電極１３，１４の接触バランスが悪いと判定する。前記閾値ＴＨ３は、たとえば、検出電圧の差の場合には０．５Ｖであり、インピーダンスの場合には１．１Ωである。そして、１０回の計測を行う間に、５回以上前記条件が満足されれば、異常と判定する。これによって、電圧検出電極１３，１４の体表面２ｂとの接し方のバランスが悪い、たとえば片方が外れていることを判定することができる。この際の前記検出電圧の波形を図１３で示す。図１３から明らかなように、電圧検出電極１３，１４の接触バランスが悪いと、２回の測定結果Ｚ１，Ｚ２に差が現れる。
【００７０】
さらにまた、第５の判定手段（エラーモード５）として、前記制御マイコン６１１は、前記２回の測定結果Ｚ１，Ｚ２の平均値Ｚを１サンプルとして、１０回のサンプルの内、前述のようにして最大値および最小値の２サンプルずつ除いた６サンプルの中で、さらに最大値と最小値との差が予め定める第４の閾値ＴＨ４より大きく、異常に離れている場合には、呼吸の乱れまたは体動等によるデータ乱れと判定する。たとえば、前記第４の閾値ＴＨ４は、２００Ωである。
【００７１】
以上の各エラーモードの判定方法を、以下の表１に纏めて示す。
【００７２】
【表１】
0005426518.tif 000002
【００７３】
以上のようにして、制御マイコン６１１は、各電極１１〜１４と、被験者２の体表面２ｂとの接触状態を判定し、前述のようにして異常の報知を行う。こうして異常を被験者や検査担当者に報知し、再測定を促すことで、ベルト３や電極１１〜１４の調整を行わせ、確実に正確な測定を行うことができる。
【００７４】
或いは、前記異常の報知中に、再度測定キー６２２が操作されると、電流印加電極１１，１２の接触が悪い場合（前記モード３−１，３−２）および電圧検出電極１３，１４間の接触バランスが悪い場合（前記モード４）には、前記電圧検出ブロック６１３側の可変抵抗ＲＳ２，ＲＭ２，ＲＬ２が調整されて、電圧検出電極１３，１４を介する電流経路のインピーダンスが、前回検出された接触抵抗の大きさに応じた高目の値に調整され、通常測定が可能になる。また、電圧検出電極１３，１４の一方の接触が悪い場合（前記モード２）には、前記電流印加ブロック６１２側の可変抵抗ＲＳ１，ＲＭ１，ＲＬ１が調整されて、電流印加電極１１，１２を介する電流経路のインピーダンスが高目に調整され、通常測定が可能になる。
【００７５】
このような電極１１〜１４の接触が不十分な場合は、前記可変抵抗ＲＳ１，ＲＭ１，ＲＬ１；ＲＳ２，ＲＭ２，ＲＬ２によるばらつき補償が可能になるが、電極外れの場合（モード１）には、警報が継続するとともに、表示パネル６４やパーソナルコンピュータ７でばらつき補償が不可能であることが報知される。また、測定の失敗の場合（モード５）には、調整無しで、再度の測定が可能になる。
【００７６】
このように構成することで、接触抵抗に問題があった場合に、可変抵抗ＲＳ１，ＲＭ１，ＲＬ１；ＲＳ２，ＲＭ２，ＲＬ２を調節することで、その接触抵抗を補正し、ばらつきを抑えることができる。これによって、被験者が電極を装着し直すことなく、正確な測定を行うことができる。
【００７７】
（実施の形態２）
図１４は本発明の実施の他の形態に係るベルト式の体脂肪測定装置１’の電気的構成を示すブロック図である。この体脂肪測定装置１’は、前述の体脂肪測定装置１’に類似し、対応する部分には同一の参照符号を付して示し、その説明を省略する。注目すべきは、この体脂肪測定装置１’では、本体６’のメインボード６１’において、前述の電流印加ブロック６１２に対応した可変抵抗ＲＳ１，ＲＭ１，ＲＬ１が設けられておらず、代わりに、アクチュエータ駆動ブロック６１７が設けられていることである。これに対応して、ベルト３’において、電流印加電極１１，１２には、アクチュエータＡ１，Ａ２が設けられている。
【００７８】
前記アクチュエータＡ１，Ａ２は、前記バックル３１および腹囲計４にそれぞれ埋込まれている電流印加電極１１，１２を、被験者２側へ押出すモータおよび駆動機構を備えて構成される。或いは、前記電圧検出電極１３，１４が、ベルト３に可動の金属電極から成る場合には、その電圧検出電極１３，１４に対しても前記アクチュエータＡ１，Ａ２が設けられてもよい。一方、前記アクチュエータ駆動ブロック６１７は、制御マイコン６１１’からの駆動信号に応答して、前記モータを駆動する駆動回路６１７１に、前記ベルト３’のサイズ切換えを行うマルチプレクサ６１７２を備えて構成される。
【００７９】
前記制御マイコン６１１’は、前記モード３−１，３−２の電流印加電極１１，１２の浮きによって、それらの電極１１，１２が前記体表面２ｂと充分接していないと判定すると、その電極１１，１２側のアクチュエータＡ１，Ａ２を駆動して、前記接触状態を調整する。このようにしてもまた、電極１１，１２の体表面２ｂとの接触の仕方を調整し、ばらつきを抑えることができる。
【符号の説明】
【００８０】
１，１’    体脂肪測定装置
２    被験者
２Ａ    皮下脂肪
２Ｂ    筋肉組織
２Ｃ    内臓脂肪
２ａ    腹部
２ｂ    体表面
２ｃ    腹部中央（臍）
２ｄ    背部中央（背骨の位置）
２ｅ    体側部（脇腹）
３，３’    ベルト
３１    バックル
３２    スリット部分
３３    帯状部
３５    電極シート
４    腹囲計
５    集線器
６，６’    本体
７    パーソナルコンピュータ
１１，１２    電流印加電極
１３，１４    電圧検出電極
１６    計測部
１６１  制御マイコン
１６２  センサ
１６３  メモリ
２１〜２８    リード線
２９    ケーブル
３０；６１Ｓ，６１Ｍ，６１Ｌ    コネクタ
６１，６１’    メインボード
６１１，６１１’    制御マイコン
６１２  電流印加ブロック
６１２１    周波数発生回路
６１２２    定電流回路
６１２３，６１２４；６１３１；６１４１    マルチプレクサ
６１３  電圧測定ブロック
６１３２    差動増幅回路
６１３３    半波整流回路
６１３４    増幅回路
６１３５    アナログ／デジタル変換器
６１４  ベルト通信ブロック
６１４２    スイッチ
６１５  メモリ
６１６  ブザー
６１７  アクチュエータ駆動ブロック
６１７１    駆動回路
６１Ｓ，６１Ｍ，６１Ｌ    コネクタ
６２    動作制御用のボード
６２１  電源キー
６２２  内臓脂肪測定キー
６２３  腹囲測定キー
６２４，６２５    男女の選択キー
６３    ベルト選択用のボード
６３１〜６３３    ベルト選択キー
６４    表示パネル
６５    ＵＳＢインタフェイスボード
Ｒ０    内部抵抗
ＲＳ１，ＲＳ２；ＲＭ１，ＲＭ２；ＲＬ１，ＲＬ２    可変抵抗
【図１】
0005426518.tif 000003
【図２】
0005426518.tif 000004
【図３】
0005426518.tif 000005
【図４】
0005426518.tif 000006
【図５】
0005426518.tif 000007
【図６】
0005426518.tif 000008
【図７】
0005426518.tif 000009
【図８】
0005426518.tif 000010
【図９】
0005426518.tif 000011
【図１０】
0005426518.tif 000012
【図１１】
0005426518.tif 000013
【図１２】
0005426518.tif 000014
【図１３】
0005426518.tif 000015
【図１４】
0005426518.tif 000016